(57)【要約】      （修正有）【課題】熱変色性インクの字消し修正具を提供する。【解決手段】本体部２の解放端部には先細りの円錐台状の発熱素子保持部材３が挿入固定されて全体としてペンシル型の色消し修正具１を構成している。本体部２の後端部に着脱自在に鉛筆用の消しゴム７を設ける。リセット可能な半導体フューズ素子の一種である発熱素子５を設け、発熱素子保持部材３の先端部に半分埋め込まれたような形で設けられている。発熱素子保持部材３は、電源ケースを兼用している本体部２の解放端部に螺着するようになっているが、必要に応じてカシメ固定や摩擦固定、ビス止め固定等、各種の周知・慣用手段を使用することが出来る。発熱素子保持部材３の先端部に設けられた発熱素子５としては、正の温度係数を有するポリマー系サーミスターが使用されており、好ましくは表面保護のため更にコーティング処理を施すのが望ましいが、そのまま使用することもできる。【選択図】図１
0003193077.tif 000002
【実用新案登録請求の範囲】
【請求項１】
リセット可能な半導体フューズ素子と電源装置を有することを特徴とする熱変色性インク字消し修正具。
【請求項２】
前記電源装置は充電池を有しＵＳＢ端子から充電可能な接続コードを設けたことを特徴とする請求項１記載の熱変色性インク字消し修正具。
【請求項３】
先端部にリセット可能な半導体フューズ素子を設け、後端部に着脱自在の消しゴムを設けたことを特徴とする請求項１又は２記載の熱変色性インク字消し修正具。
【請求項４】
前記電源装置は、ソーラーパネル付き充電池を備えたことを特徴とする請求項１、２，又は３記載の熱変色性インキ字消し修正具。
【請求項５】
前記リセット可能な半導体フューズ素子は、ポリスイッチ（登録商標）であることを特徴とする請求項１、２、３又は４記載の熱変色性インク字消し修正具。
【考案の詳細な説明】
【技術分野】
【０００１】  この考案は、熱により透明になったり変色したりする熱変色性インクを用いた筆記具の字消し修正具に関するものである。
【背景技術】
【０００２】    従来、熱をかけることにより変色する顔料又は染料を使用した熱変色性インクを利用した筆記具は知られており、そのような熱変色性インクによって紙面に記載された描画や筆跡をニクロム線のような電気ヒータ線２を用いて消去する発熱消去具も文献１に記載されているが、ニクロム線は熱暴走の危険があり、使用する電池の容量や使用上の安全性、強度の問題などで実用化が難しいと思われる。【０００３】  また、特許文献２には、小型モータにより摩擦体１２を高速回転させ、紙面上に形成された熱変色性インクの筆跡を紙面と摩擦体の摩擦熱で消色させて消去するものが記載されている。しかしながら、このように紙の表面を摩擦するものは、例えば鉛筆やボールペンやインクジェットプリンター等で下書きした上に熱変色性インクで上書き訂正した文字を更に訂正のため消去するような場合、下書きの鉛筆書きやポールペン又は印刷した文字や印刷画像が消たり、摩擦体が汚れていた場合は摩擦した部分の紙面が汚れると言う不都合があった。【０００４】  更に、文献３、４は、いずれペルチエ効果を利用した熱源を使用して熱変色性層上に筆跡を発色又は消去させるものが記載されている。これらは、前記特許文献１，２とは異なり自己温度制御機能を有する電気発熱体を使用したものであるが、いずれも熱変色性層上の画像や筆跡を発色又は消去させるものであり、しかも発熱側と吸熱側を有するため放熱器や蓄熱器が必要で発熱体の極性にも設計工作上の制限を有するので、事務用筆記具としての字消し修正具としては簡易性や利便性に欠ける。
【先行技術文献】
【特許文献】
【０００５】
【特許文献１】登録実用新案公報第３１６１３０２号公報
【特許文献２】特開２０１１−４２１５１号公報
【特許文献３】実開平５−３７２９８号公報
【特許文献４】実開平６−１０５９６５号公報
【考案の概要】
【考案が解決しようとする課題】
【０００６】  この考案は、摩擦熱や電気ヒータを利用せずに、小電力で安全な温度制御機能と機械的強度とを有し、加熱部分の大きさも形状も自由に選択可能な熱変色性インクの消色用加熱装置、つまり熱変色性インクを使用した筆記具の筆跡を消去する字消し修正具の提供を目的とするものである。
【課題を解決するための手段】
【０００７】  この考案は、前記熱変色性インクを用いた筆記具で記載したインクを加熱する加熱装置の発熱体として、従来のニクロム線などの電気ヒータ線の代わりに、電気回路のリセット可能な半導体フューズ素子として使用されているセラミックＰＴＣやポリマーＰＴＣを使用することを特徴とするもので、好ましくは小電力で危険性の少ない小型電気製品の保護回路や電気カーペット等の過熱防止に使用されるポリスイッチ（登録商標）を使用することが好ましい。使用するポリスイッチは、過電流により発熱し、高抵抗となって電流を遮断する（トリップ状態）が、高温、高抵抗の状態は維持し続けると言う特性を有するものであって、ペルチエ効果素子とは異なり、使用に際しては素子の極性の相違に左右されず、冷却装置なども構成部品も不要である。素子を電源に直結し、素子自体を直接インクの筆跡消去用加熱部材として使用することもできる簡便さを備えている。【０００８】  この考案の字消し修正具は、リセット可能な半導体フューズ素子と、電源装置を有することを特徴とするものであり、電源装置は乾電池や充電池を利用し、ソーラーパネル発電による充電池やパソコンのＵＳＢポートからの供給電力を利用することもできる。【０００９】  更に、この字消し修正具には、消しゴムを併設することにより、熱変色性インクの筆跡消去だけでなく、通常の鉛筆の筆跡を消去する多機能性を付与することも出来る。そして、外部電力供給用の接続口を消しゴムの差込口に兼用することもできる。
【考案の効果】
【００１０】  この考案は、前記リセット可能な半導体フューズ素子の一種であるポリスイッチのトリップ状態の発熱を直接熱変色性インクの筆跡消去又は変色に利用することにより、安全で、小電力、省エネルギーの簡便なインクの字消し修正具を得ることが出来るのである。【００１１】  そして、この考案によれば、前記リセット可能な半導体フューズ素子であるポリスイッチのトリップ状態の発熱を熱変色性インクの消色又は変色に利用するので、電気ヒータやモータに比べて安全で電力消費が少なく、軽くて構成が簡単で設計上の困難性も少ない小型軽量の字消し修正具を得ることが出来る。発熱体の形状や大きさは使用目的により任意のものが選択できる。【００１２】  また、従来の摩擦熱を利用する色消し具に比べるとインクの付いた紙面を強く摩擦する必要も無く、軽く消色又は消字の必要な部分に発熱体を押し付けるだけで、擦過汚れや字消し部材の汚れによる紙面や文字の汚れもない。そしてポリスイッチを表面保護部材を兼ねた摩擦部材に埋め込んで使用すれば、従来の摩擦熱を利用したインク字消しと同じ強度もあり、電池が無くなった場合はそのまま、熱変色性インクで記載された紙の表面を摩擦することにより摩擦熱で筆跡や描画の消色又は変色が可能である。また、この字消し修正具に消しゴムまたは熱変色性インク用の摩擦部材を併設することにより、通常の鉛筆の筆跡だけで無く、熱変色性インクも容易に消去することが出来る字消し修正具として多機能効果をも発揮するものである。【００１３】  更に、ポリスイッチを使用したことにより、加熱装置の電源スイッチを切り忘れたとしても、微細電流は流れてはいるものの、電源のスイッチは実質的に遮断された状態であるので、電気ヒータを発熱体として使用するものや、モータを使用した従来のものに比べ電源電池の消耗を防止することが出来、格段の省エネルギー効果を有するものである。
【図面の簡単な説明】
【００１４】
【図１】この考案の第１の実施例の部分断面図である。
【図２】この考案の第２の実施例の説明図である。
【図３】この考案の第３の実施例の説明図である。
【図４】この考案の第４の実施例の説明図である。
【図５】この考案の第５の実施例の説明図である。
【図６】この考案の実施例に使用する電気回路の説明図である。
【考案を実施するための形態】
【００１５】  以下、この考案の実施例を図に基づき説明するが、以下の説明において同一の機能を有する部材や部位、構成については同一の符号を付け、或いは説明を省略する場合がある。
【００１６】  図１は、この考案の第１の実施例の部分断面説明図である。
この実施例では、発熱体（以下「発熱素子」言う）と電源を電源ケースに一体的に組み付けた電源内蔵式のペンシル型字消し修正具を構成している。
【００１７】  １は字消し修正具の全体を表示しており、２は本体部で、電源ケースを兼用している。本体部の図面上で左側の解放端部には先細りの円錐台状の発熱素子保持部材３が挿入固定されて全体としてペンシル型の色消し修正具１を構成している。７は本体部２の後端部に着脱自在に設けられた鉛筆用の消しゴムである。５はリセット可能な半導体フューズ素子の一種である発熱素子で、図のように発熱素子保持部材３の先端部に半分埋め込まれたような形で設けられている。この実施例では、発熱素子保持部材３は、電源ケースを兼用している本体部２の解放端部に螺着するようになっているが、必要に応じてカシメ固定や摩擦固定、ビス止め固定等、各種の周知・慣用手段を使用することが出来る。
【００１８】  電源ケースを兼用する本体部２には、電源Ｅとして２本の１．５Ｖ単４型乾電池を直列に使用しているが、電源の種類や形状・配置等は、発熱素子５の使用電力やこの考案を使用する加熱装置の対象物や使用目的に応じて、任意選択できる設計事項である。
【００１９】  電源Ｅの（−）側には、電極接続用として導電スプリング１０が設けられ、このスプリング１０には導電板８が電気的に接続されている。Ｓはスイッチで，押し釦式のスイッチが使用されている。前記導電板８は、このスイッチＳを介して導電板９と電気的に不連続に接続されており、スイッチＳの操作により発熱素子５への通電をＯＮ−ＯＦＦするように構成されている。
【００２０】  発熱素子保持部材３の先端部に設けられた発熱素子５としては、ポリスイッチ（登録商標）が使用されており、好ましくは表面保護のため更にコーティング処理を施すのが望ましいが、そのまま使用することもできる。
コーティング材としては耐熱性摩擦部材を使用してポリスイッチの表面を薄く被覆することが好ましい。
【００２１】  発熱素子保持部材３の後端部外周には、雄ネジが設けられ、電源ケース側の雌ネジに螺着されるように構成されている。更に、発熱素子保持部材３の後端面には、電源Ｅの（＋）側接続接点用の導電板６と電極板リング４が設けられ、導電板６には発熱素子５であるポリスイッチのリード線の一方５ａが接続され、電極板リング４にはポリスイッチの他方のリード線５ｂが接続されている。
【００２２】  したがって、発熱素子保持部材３を電源ケース２に螺入することにより、導電板６が電池の（＋）端子に接触し、電極板リング４が導電板９に接触し、押し釦スイッチＳを押し下げることにより導電板９と８とが電気的に接続され、発熱素子５に通電することが出来る。
【００２３】  発熱素子５は，前述したようにポリスイッチを使用しているので、押し釦スイッチＳを押すことによりポリスイッチに電流が供給され、所定のトリップ温度になると抵抗値が急上昇して電源電池Ｅからの電流は殆ど遮断されるが、高温状態は押し釦スイッチＳを切らない限り継続するので、この間に熱変色性インクで可視化された画像や筆跡の上に発熱素子５の先端を軽く接触させることにより、インクの消色又は変色を行うことが出来るのである。
【００２４】  発熱素子５として使用するポリスイッチは、３Ｖ〜１２Ｖの電源電池を使用した場合、５０℃〜９０℃程度の範囲でトリップするよう選択するのが好ましく、ポリスイッチの先端部は合成樹脂等による耐熱性の摩擦部材を使用して発熱素子５の先端部を保護すると共に適用する画像や筆跡の消色又は変色に適した形状大きさに形成されることが好ましい。
なお、先端部の形状や大きさに応じて小さな線の消色や、逆に広い範囲を手早く消色すると言う利便性を付加することも出来る。
【００２５】  ポリスイッチは、一度トリップしたら微少の電流は流れるが、リセットしない限り高温、遮断状態を維持するので、電源スイッチの切り忘れなどによる無駄な電源の電力消費は制限され、省エネルギーに対しても十分な効果が期待される。また、電源電池が消耗した場合には、下書きが無い場合や下書きの文字が滲む恐れの無い場合は、本体部２の後端部に設けた鉛筆用の消しゴム７で摩擦しても消色することが出来る。仮に消しゴムが無かった場合は、発熱素子５の先端部を紙面に摺りつけることにより表面保護部材と紙面の表面摩擦熱により消色することも可能であるが、好ましくは、消しゴム７は鉛筆用の消しゴムと熱変色性インク専用の消しゴムを準備しておき、必要に応じて交換できるようにすると便利である。
【００２６】  なお、図１の実施例では、電源電池に通常の乾電池を使用した例で説明したが、電源には複数の釦電池や充電池を使用することも可能である。さらに後述するようにソーラーパネル付き充電池を用いることも出来る。また７は本体部２の後端部に設けられた消しゴムで、後端部には後述するＵＳＢ接続用の充電ケーブルコネクタを設けることにより、必要に応じて充電できる外部電源接続型に設計することも可能である。
【００２７】  図２は第２の実施例である。これは外部電源を利用する外部電源接続型もので、軸部となる本体部２の後端から電源コードＬにより外部電源Ｅに接続され、スイッチＳの操作により、発熱素子５に電力を供給するようになっている。スイッチは軸部に着けても電源Ｅに付けても構わないが、使い勝手から言えば軸部の先端部側がが好ましい。
【００２８】  図３は第３の実施例で、図３の（ａ）は、電源コードＬのプラグＣをパソコンのＵＳＢポートに接続することにより、電力を供給するようにした外部電源接続型の字消し具で、（ｂ）は両端に接続プラグを有する充電用ケーブルを示している。これはパソコンのＵＳＢポートに電源コードＬのプラグＣを、字消し修正具本体部２の接続部にプラグＰを接続することにより電力を得るようになっている。
【００２９】  図４は第４の実施例で、ボックス型の電源内蔵式字消し具を示している。これは本体部２を兼用するバッテリースナップ付きの９Ｖ平型電池ボックスに、スイッチＳを設けた発熱素子保持部材３を着脱自在に接続するように工夫することにより容易に作成することができる。
【００３０】  図５は第５の実施例で、Ｗはソーラー発電パネルで、本体部２に充電池を組み込んだ電源内蔵式の字消し具である。図５の（ｂ）は電池ケースを兼用する本体部２の後端部に設けられたＵＳＢプラグ接続部Ｇを示しており、この接続部Ｇには図５の（ａ）に示すようなＵＳＢプラグと同寸法の脚部７ａを有する消しゴム７が着脱できるようになっている。前述したように、この消しゴム７は鉛筆用あるいは熱変色性インク専用の消しゴムのいずれかを選択的に使用できるものである。
【００３１】  図６は前記第５の実施例の電気回路図である。Ｍはソーラーパネルモジュール、Ｅは電源用電池で、約３．６Ｖの充電池が使用されている。Ｗはソーラー発電パネル、Ｒは保護抵抗、Ｄ１、Ｄ２は逆流防止用ダイオードである。ＧはＵＳＢ接続用の端子である。
したがって、必要に応じて図３に示すＵＳＢ充電用の電源コードＬを使用することにより、電源Ｅの充電池には、ソーラーパネルからでも、パソコンのＵＳＢポートからでも必要に応じて充電することができる。ＵＳＢに接続しないときは、消しゴム７を接続部のカバー代わりに装着しておくと良い。
【符号の説明】
【００３２】１・・・字消し訂正具
２・・・本体部
３・・・発熱素子保持部材
４・・・電極板リング
５・・・発熱素子
６・・・導電板
７・・・消しゴム
８、９・・・導電板
１０・・導電スプリング
Ｓ・・・スイッチ
Ｅ・・・電源
Ｌ・・・電源コード
Ｗ・・・ソーラーパネル
【図１】
0003193077.tif 000003
【図２】
0003193077.tif 000004
【図３】
0003193077.tif 000005
【図４】
0003193077.tif 000006
【図５】
0003193077.tif 000007
【図６】
0003193077.tif 000008
【手続補正書】
【提出日】平成26年6月26日(2014.6.26)
【手続補正１】
【補正対象書類名】実用新案登録請求の範囲
【補正対象項目名】請求項５
【補正方法】変更
【補正の内容】
【請求項５】
前記リセット可能な半導体フューズ素子は、正の温度係数を有するポリマー系サーミスターであることを特徴とする請求項１，２，３又は４記載の熱変色性インク字消し修正具。